(57)【要約】【課題】装置内部の部品情報と用紙特性情報とを既存のユーザ識別用のＲＦＩＤ情報読取手段を用いて取得することにより、情報読取手段の個数を削減し、コストを低減する。【解決手段】既存のユーザ識別用の非接触情報読取部１０１と、スキャナ５５０とを使い、さらに、ユーザ識別用ＲＦＩＤからユーザ識別情報を取得して認証を行うユーザ認証モードと、第１ＲＦＩＤ２００ａからトナーボトル１０１に関する情報を読み取る部品情報読取モードと、第２ＲＦＩＤ２００ｂから用紙４２０の特性に関する情報を取得する用品特性情報読取モードと、バーコード２００ｄから用紙４２０の特性に関する情報を取得する二次元コード読取モードとをモード切替手段を用いて切り替えながら所望の情報を取得して、画像形成装置の設定を行う。【選択図】        図３
2009066951.tif 000002
【特許請求の範囲】
【請求項１】
ユーザ識別情報を記憶した不揮発性メモリを有するユーザ識別用ＲＦＩＤの情報を読み取るＲＦＩＤ情報読取手段を備えた情報処理装置であって、
情報処理の対象である対象装置内部の部品に関する情報を記憶した不揮発性メモリを有する第１ＲＦＩＤの近傍に設けられた第１のアンテナと、
情報処理の対象である対象装置が使用する用品の特性に関する情報を記憶した不揮発性メモリを有する第２ＲＦＩＤの近傍に設けられた第２のアンテナと、
を備え、前記第１のアンテナと前記第２のアンテナが前記ＲＦＩＤ情報読取手段にそれぞれ接続され、前記ＲＦＩＤ情報読取手段で読み取った各不揮発性メモリに記憶されている情報に基づいて前記対象装置の設定を行うことを特徴とする情報処理装置。
【請求項２】
二次元コードを読み取る二次元コード読取手段をさらに備え、
前記対象装置が使用する用品の特性に関する情報が二次元コード化されていて、前記第２ＲＦＩＤの不揮発性メモリから情報が読み取れない場合は、前記二次元コード読取手段により読み取った情報を用いることを特徴とする請求項１に記載の情報処理装置。
【請求項３】
前記ＲＦＩＤ情報読取手段により前記ユーザ識別用ＲＦＩＤからユーザ識別情報を読み取ってユーザ認証を行うユーザ認証モードと、
前記第１のアンテナを介して前記ＲＦＩＤ情報読取手段により前記第１ＲＦＩＤから部品に関する情報を読み取る部品情報読取モードと、
前記第２のアンテナを介して前記ＲＦＩＤ情報読取手段により前記第２ＲＦＩＤから用品の特性に関する情報を読み取る用品特性情報読取モードと、
前記二次元コード読取手段により二次元コード化された用品の特性に関する情報を読み取る二次元コード読取モードと、
を有し、前記各モードを切り替えて選択的に実行するモード切替手段をさらに備えたことを特徴とする請求項２に記載の情報処理装置。
【請求項４】
前記用品の品番毎の特性に関する情報を記憶する特性情報記憶手段をさらに備え、
前記ＲＦＩＤ情報読取手段が前記第２ＲＦＩＤの不揮発性メモリから用品の品番情報を取得すると、前記特性情報記憶手段と照合して用品設定を変更することを特徴とする請求項１または２に記載の情報処理装置。
【請求項５】
前記ＲＦＩＤ情報読取手段が前記第２ＲＦＩＤの不揮発性メモリから読み取った用品の品番情報と、前記特性情報記憶手段の品番情報とが一致しない場合は、前記第２ＲＦＩＤから読み取った品番情報と用品特性に関する情報とを前記特性情報記憶手段に新規追加することを特徴とする請求項４に記載の情報処理装置。
【請求項６】
一度設定された用品特性に関する情報は、次に新たな前記第２ＲＦＩＤおよび前記二次元コードのうち少なくとも１つから用品特性に関する情報を読み取らない限り、直前に設定された用品特性に関する情報を用いて用品の処理を行うことを特徴とする請求項２に記載の情報処理装置。
【請求項７】
前記第２ＲＦＩＤおよび前記二次元コードのうち少なくとも１つから用品特性に関する情報を読み取る場合は、前記用品のセット位置を指定した後、前記第２ＲＦＩＤおよび前記二次元コードのうち少なくとも１つから用品特性に関する情報を読み取ることを特徴とする請求項２に記載の情報処理装置。
【請求項８】
前記ＲＦＩＤ情報読取手段により前記ユーザ識別用ＲＦＩＤからユーザ識別情報を読み取ってユーザ認証が成功した場合のみ、前記第２ＲＦＩＤおよび前記二次元コードのうち少なくとも１つから用品特性に関する情報を読み取ることを特徴とする請求項２に記載の情報処理装置。
【請求項９】
前記第２ＲＦＩＤおよび前記二次元コードのうち少なくとも１つから用品の種類情報を取得すると、用品の種類情報を変更することを特徴とする請求項２に記載の情報処理装置。
【請求項１０】
前記第２ＲＦＩＤおよび前記二次元コードのうち少なくとも１つから用品の寸法情報を取得すると、用品の寸法情報を変更することを特徴とする請求項２に記載の情報処理装置。
【請求項１１】
操作情報を表示する表示手段をさらに備え、
前記第２ＲＦＩＤおよび前記二次元コードのうち少なくとも１つから取得した用品の種類や寸法が前記対象装置に対応していない場合は、前記表示手段にエラー表示あるいはガイダンス表示を行うことを特徴とする請求項９または１０に記載の情報処理装置。
【請求項１２】
前記用品の特性に関する情報が記憶された不揮発性メモリを有する第２ＲＦＩＤは、用品の流通・在庫管理用のＩＤタグと共用していることを特徴とする請求項１に記載の情報処理装置。
【請求項１３】
前記第１ＲＦＩＤの不揮発性メモリに記憶された情報は、消耗品の残量を示すデータであることを特徴とする請求項１に記載の情報処理装置。
【請求項１４】
前記第１ＲＦＩＤの不揮発性メモリに記憶された情報は、寿命部品が搭載された部品の使用時間であることを特徴とする請求項１に記載の情報処理装置。
【請求項１５】
ユーザ識別情報を記憶した不揮発性メモリを有するユーザ識別用ＲＦＩＤの情報を読み取るＲＦＩＤ情報読取手段を備えた画像形成装置であって、
画像形成装置内部の部品に関する情報を記憶した不揮発性メモリを有する第１ＲＦＩＤの近傍に設けられた第１のアンテナと、
画像形成装置が使用する用紙の特性に関する情報を記憶した不揮発性メモリを有する第２ＲＦＩＤの近傍に設けられた第２のアンテナと、
を備え、前記第１のアンテナと前記第２のアンテナが前記ＲＦＩＤ情報読取手段にそれぞれ接続され、前記ＲＦＩＤ情報読取手段で読み取った各不揮発性メモリに記憶されている情報に基づいて設定を行うことを特徴とする画像形成装置。
【発明の詳細な説明】
【技術分野】
【０００１】
本発明は、情報処理装置および画像形成装置に関し、詳細には、ユーザ識別用ＲＦＩＤの情報読取手段を用いてＲＦＩＤの不揮発性メモリに記憶された装置部品情報および対象装置が使用する用品特性情報を取得する情報処理装置および画像形成装置に関する。
【背景技術】
【０００２】
近年、物流や在庫管理などを簡素化するため、商品に非接触の不揮発性記憶手段を添付することが増えてきている。例えば、不揮発性メモリが内蔵され電磁誘導により非接触で情報伝達が可能なＲＦＩＤ（Ｒａｄｉｏ  Ｆｒｅｑｕｅｎｃｙ  Ｉｄｅｎｔｉｆｉｃａｔｉｏｎ）が商品等に添付されている。また、ＲＦＩＤ情報読取手段を使って識別情報が記憶されたユーザ識別用ＲＦＩＤの情報を読み取ることで、ユーザ認証を行う情報処理装置などがあった。
【０００３】
さらに、電子写真方式を用いた画像形成装置などでは、ユーザやサービス担当者が消耗品や寿命部品を容易に交換できるようにカートリッジ方式が広く用いられている。近年ではこれらのカートリッジ情報やリサイクルや消耗品の残量を管理するためにＲＦＩＤを搭載したものが使用されるようになってきた。このＲＦＩＤは、カートリッジの使用時間やトナー等の消耗品の残量データ等を逐次記憶させておき、これらのデータを読み取ることでカートリッジの交換時期等を判断するのに使用されている。
【０００４】
例えば、特許文献１および２では、印刷用紙にＲＦＩＤチップを組み込み、そのＲＦＩＤチップより用紙の特性情報を取得することで印刷条件を最適化する等の処理を行なうことが提案されている。また、特許文献３では、ＲＦＩＤメモリに使用する用紙の特性や印刷条件を書き込んでおき、ＲＦＩＤメモリを給紙トレイにセットして、そのＲＦＩＤメモリから用紙の特性情報を取得して印刷条件の最適化等の処理を行なうことが提案されている。さらに、特許文献４では、ＲＦＩＤタグによりユーザが出力する画像形成ジョブとユーザ個人の個別認証番号とを一連管理し、ユーザを識別することによりジョブを要求した本人のみが転写紙を出力できることが提案されている。
【０００５】
【特許文献１】特開２００６−２５８９４７号公報
【特許文献２】特開２００５−０３５１４４号公報
【特許文献３】特開２００４−３２５７７０号公報
【特許文献４】特開２００６−０３１４８５号公報
【発明の開示】
【発明が解決しようとする課題】
【０００６】
しかしながら、このようなＲＦＩＤを用いた画像形成装置などでは、用紙にＲＦＩＤチップを搭載すると用紙コストが大幅に上がる上、ＲＦＩＤチップを搭載した部分に突起ができることから搬送経路にあるローラやベルトを傷めてしまい、それらの部品寿命が大幅に低下するという問題があった。
【０００７】
また、ＲＦＩＤチップから用紙情報を取得してもユーザ側で書き換え作業を行う必要があるため、用紙の種類を変更する場合などは操作が煩雑となり、作業ミスが発生し易くなるという問題があった。
【０００８】
そこで、これらの問題を改善するため、用紙のパッケージに用紙情報を記憶したＲＦＩＤを搭載し、給紙部に用紙情報を取得するためのＲＦＩＤ情報読取手段を設けるという構成も考えられる。しかし、消耗品の残量データやカートリッジの使用時間などの情報を取得するＲＦＩＤ情報読取手段と、用紙情報を取得するＲＦＩＤ情報読取手段とをそれぞれ画像形成装置に搭載するとなると、情報の取得箇所が増えるに従ってＲＦＩＤ情報読取手段の搭載個数が増加してしまい、コストが上がるという問題を生じる。その上、ユーザ識別用ＲＦＩＤの識別情報をＲＦＩＤ情報読取手段で読み取るユーザ識別機能を備えた装置の場合は、ＲＦＩＤ情報読取手段がさらに１つ増えることになる。
【０００９】
本発明は、上記に鑑みてなされたものであって、情報処理を行う対象装置内部の部品に関する情報と対象装置に使用する用紙や記録媒体などの用品特性に関する情報とを既存のユーザ識別用のＲＦＩＤ情報読取手段を用いて取得することにより、情報読取手段の個数を削減し、コストを低減することが可能な情報処理装置および画像形成装置を提供することを目的とする。
【課題を解決するための手段】
【００１０】
上述した課題を解決し、目的を達成するために、請求項１にかかる発明は、ユーザ識別情報を記憶した不揮発性メモリを有するユーザ識別用ＲＦＩＤの情報を読み取るＲＦＩＤ情報読取手段を備えた情報処理装置であって、情報処理の対象である対象装置内部の部品に関する情報を記憶した不揮発性メモリを有する第１ＲＦＩＤの近傍に設けられた第１のアンテナと、情報処理の対象である対象装置が使用する用品の特性に関する情報を記憶した不揮発性メモリを有する第２ＲＦＩＤの近傍に設けられた第２のアンテナと、を備え、前記第１のアンテナと前記第２のアンテナが前記ＲＦＩＤ情報読取手段にそれぞれ接続され、前記ＲＦＩＤ情報読取手段で読み取った各不揮発性メモリに記憶されている情報に基づいて前記対象装置の設定を行うことを特徴とする。
【００１１】
また、請求項２にかかる発明は、請求項１に記載の情報処理装置において、二次元コードを読み取る二次元コード読取手段をさらに備え、前記対象装置が使用する用品の特性に関する情報が二次元コード化されていて、前記第２ＲＦＩＤの不揮発性メモリから情報が読み取れない場合は、前記二次元コード読取手段により読み取った情報を用いることを特徴とする。
【００１２】
また、請求項３にかかる発明は、請求項２に記載の情報処理装置において、前記ＲＦＩＤ情報読取手段により前記ユーザ識別用ＲＦＩＤからユーザ識別情報を読み取ってユーザ認証を行うユーザ認証モードと、前記第１のアンテナを介して前記ＲＦＩＤ情報読取手段により前記第１ＲＦＩＤから部品に関する情報を読み取る部品情報読取モードと、前記第２のアンテナを介して前記ＲＦＩＤ情報読取手段により前記第２ＲＦＩＤから用品の特性に関する情報を読み取る用品特性情報読取モードと、前記二次元コード読取手段により二次元コード化された用品の特性に関する情報を読み取る二次元コード読取モードと、を有し、前記各モードを切り替えて選択的に実行するモード切替手段をさらに備えたことを特徴とする。
【００１３】
また、請求項４にかかる発明は、請求項１または２に記載の情報処理装置において、前記用品の品番毎の特性に関する情報を記憶する特性情報記憶手段をさらに備え、前記ＲＦＩＤ情報読取手段が前記第２ＲＦＩＤの不揮発性メモリから用品の品番情報を取得すると、前記特性情報記憶手段と照合して用品設定を変更することを特徴とする。
【００１４】
また、請求項５にかかる発明は、請求項４に記載の情報処理装置において、前記ＲＦＩＤ情報読取手段が前記第２ＲＦＩＤの不揮発性メモリから読み取った用品の品番情報と、前記特性情報記憶手段の品番情報とが一致しない場合は、前記第２ＲＦＩＤから読み取った品番情報と用品特性に関する情報とを前記特性情報記憶手段に新規追加することを特徴とする。
【００１５】
また、請求項６にかかる発明は、請求項２に記載の情報処理装置において、一度設定された用品特性に関する情報は、次に新たな前記第２ＲＦＩＤおよび前記二次元コードのうち少なくとも１つから用品特性に関する情報を読み取らない限り、直前に設定された用品特性に関する情報を用いて用品の処理を行うことを特徴とする。
【００１６】
また、請求項７にかかる発明は、請求項２に記載の情報処理装置において、前記第２ＲＦＩＤおよび前記二次元コードのうち少なくとも１つから用品特性に関する情報を読み取る場合は、前記用品のセット位置を指定した後、前記第２ＲＦＩＤおよび前記二次元コードのうち少なくとも１つから用品特性に関する情報を読み取ることを特徴とする。
【００１７】
また、請求項８にかかる発明は、請求項２に記載の情報処理装置において、前記ＲＦＩＤ情報読取手段により前記ユーザ識別用ＲＦＩＤからユーザ識別情報を読み取ってユーザ認証が成功した場合のみ、前記第２ＲＦＩＤおよび前記二次元コードのうち少なくとも１つから用品特性に関する情報を読み取ることを特徴とする。
【００１８】
また、請求項９にかかる発明は、請求項２に記載の情報処理装置において、前記第２ＲＦＩＤおよび前記二次元コードのうち少なくとも１つから用品の種類情報を取得すると、用品の種類情報を変更することを特徴とする。
【００１９】
また、請求項１０にかかる発明は、請求項２に記載の情報処理装置において、前記第２ＲＦＩＤおよび前記二次元コードのうち少なくとも１つから用品の寸法情報を取得すると、用品の寸法情報を変更することを特徴とする。
【００２０】
また、請求項１１にかかる発明は、請求項９または１０に記載の情報処理装置において、操作情報を表示する表示手段をさらに備え、前記第２ＲＦＩＤおよび前記二次元コードのうち少なくとも１つから取得した用品の種類や寸法が前記対象装置に対応していない場合は、前記表示手段にエラー表示あるいはガイダンス表示を行うことを特徴とする。
【００２１】
また、請求項１２にかかる発明は、請求項１に記載の情報処理装置において、前記用品の特性に関する情報が記憶された不揮発性メモリを有する第２ＲＦＩＤは、用品の流通・在庫管理用のＩＤタグと共用していることを特徴とする。
【００２２】
また、請求項１３にかかる発明は、請求項１に記載の情報処理装置において、前記第１ＲＦＩＤの不揮発性メモリに記憶された情報は、消耗品の残量を示すデータであることを特徴とする。
【００２３】
また、請求項１４にかかる発明は、請求項１に記載の情報処理装置において、前記第１ＲＦＩＤの不揮発性メモリに記憶された情報は、寿命部品が搭載された部品の使用時間であることを特徴とする。
【００２４】
上述した課題を解決し、目的を達成するために、請求項１５にかかる発明は、ユーザ識別情報を記憶した不揮発性メモリを有するユーザ識別用ＲＦＩＤの情報を読み取るＲＦＩＤ情報読取手段を備えた画像形成装置であって、画像形成装置内部の部品に関する情報を記憶した不揮発性メモリを有する第１ＲＦＩＤの近傍に設けられた第１のアンテナと、画像形成装置が使用する用紙の特性に関する情報を記憶した不揮発性メモリを有する第２ＲＦＩＤの近傍に設けられた第２のアンテナと、を備え、前記第１のアンテナと前記第２のアンテナが前記ＲＦＩＤ情報読取手段にそれぞれ接続され、前記ＲＦＩＤ情報読取手段で読み取った各不揮発性メモリに記憶されている情報に基づいて設定を行うことを特徴とする。
【発明の効果】
【００２５】
本発明にかかる情報処理装置によれば、ユーザ識別用ＲＦＩＤの情報を読み取るＲＦＩＤ情報読取手段を備えていて、情報処理の対象である対象装置内部の部品に関する情報を記憶した第１ＲＦＩＤの近傍に設けられた第１のアンテナと、対象装置が使用する用品の特性に関する情報を記憶した第２ＲＦＩＤの近傍に設けられた第２のアンテナとがＲＦＩＤ情報読取手段に接続され、第１および第２ＲＦＩＤに記憶された情報を共通のＲＦＩＤ情報読取手段で読み取ることができるので、ＲＦＩＤ情報読取手段の個数を削減することが可能となり、コストを低減することができるという効果を奏する。
【００２６】
また、本発明にかかる画像形成装置によれば、ユーザ識別用ＲＦＩＤの情報を読み取るＲＦＩＤ情報読取手段を備えていて、画像形成装置内部の部品に関する情報を記憶した第１ＲＦＩＤの近傍に設けられた第１のアンテナと、画像形成装置が使用する用紙の特性に関する情報を記憶した第２ＲＦＩＤの近傍に設けられた第２のアンテナとがＲＦＩＤ情報読取手段に接続され、第１および第２ＲＦＩＤに記憶された情報を共通のＲＦＩＤ情報読取手段で読み取ることができるので、画像形成装置内のＲＦＩＤ情報読取手段の個数を削減することが可能となり、コストを低減することができるという効果を奏する。
【発明を実施するための最良の形態】
【００２７】
以下に添付図面を参照して、この発明にかかる情報処理装置および画像形成装置の最良な実施の形態を詳細に説明する。
【００２８】
図１は、本発明の実施の形態にかかる画像形成装置の操作パネル例を示す図であり、図２は、ＲＦＩＤとＲＦＩＤの不揮発性メモリに記憶された情報を読み取るＲＦＩＤ情報読取部の構成図であり、図３は、本実施の形態にかかる画像形成装置の概略構成図であり、図４は、フルカラーデジタル複写機の主要部の構成を説明するブロック図である。ここでは、画像形成装置としてフルカラーデジタル複写機４１０を用いて実施している。
【００２９】
本実施の形態で用いられるフルカラーデジタル複写機は、ユーザ認証機能を有していて、ユーザ識別情報が記憶された不揮発性メモリを内蔵するユーザ識別用ＲＦＩＤ（不図示）を近づけると非接触にて情報を読み取り、適正なユーザか否かを確認することができる。このユーザ識別用ＲＦＩＤが保持する情報を読み取るＲＦＩＤ情報読取手段としての非接触情報読取部１０１は、図１に示す操作パネル１００上に搭載されている。操作パネル１００には、この他、操作状態や処理状況などの情報を表示する操作表示部１０２、入力用のテンキー１０３、コピー動作を開始させるスタートキー１０４、コピー処理の中止や設定を解除するクリア／ストップキー１０５などが設けられている。
【００３０】
図２は、不揮発性メモリに情報が記憶されたＲＦＩＤとその情報を非接触にて読み取るＲＦＩＤ情報読取部の構成について説明する。図２に示すように、ＲＦＩＤ２００は、不揮発性メモリ２０１、ＲＦＩＤ側非接触通信回路２０２、送信用アンテナ２０３、受信用アンテナ２０４などで構成されている。このＲＦＩＤ側非接触通信回路２０２は、さらに受信回路３００、復調回路３０１、制御回路３０２、変調回路３０３、送信ドライバ３０４、電源回路３０５などで構成されている。また、本体側の非接触情報読取部１０１は、本体側非接触通信回路４００と本体側のＣＰＵ４０３などで構成され、本体側非接触通信回路４００には送信用アンテナ４０１と受信用アンテナ４０２が設けられている。この送信用アンテナ４０１と受信用アンテナ４０２は、１組しか図示していないが、本実施の形態では、後述する図３に示すように、必要な情報が記憶されたＲＦＩＤが配置される近傍に読み取り用のアンテナが設置され、それぞれのアンテナを非接触情報読取部（ＲＦＩＤ情報読取手段）１０１に接続することで、１つの非接触情報読取部１０１を共通に使用できる点に特徴がある。通信時には、後述するモード切替手段を用いて複数あるアンテナを切り替えながら使用することが可能である。なお、電源回路３０５は、受信用アンテナ２０４の電磁波を整流することにより電源を供給するものである。
【００３１】
図２のＲＦＩＤ側非接触通信回路２０２と本体側非接触通信回路４００とは同じ回路構成になっている。本体側のＣＰＵ４０３から出力された信号は、本体側非接触通信回路４００で伝送用の所定信号に変調され、送信用アンテナ４０１に送られる。本実施の形態では、ＲＦＩＤ２００がフルカラーデジタル複写機のプロセスカートリッジや用紙パッケージに添付されており、ＲＦＩＤ２００の受信用アンテナ２０４で受けた受信信号を受信回路３００で増幅して復調回路３０１に送る。復調回路３０１は、伝送用の所定信号に復調した後、制御回路３０２に送る。制御回路３０２は、不揮発性メモリ２０１に記憶する信号であれば、不揮発性メモリ２０１に送信する。制御回路３０２は、本体側から受信した信号が不揮発性メモリ２０１に記憶された情報を送信する指令であれば、不揮発性メモリ２０１の情報を変調回路３０３に送信する。変調回路３０３では、伝送用の所定信号に変調し、送信用アンテナ２０３に送る。
【００３２】
本体側非接触通信回路４００では、受信用アンテナ４０２で受けた受信信号を受信回路（３００に相当）で増幅し、復調回路（３０１に相当）に送る。復調回路は、伝送用の所定信号に復調した後、制御回路（３０２に相当）に送られ、本体側のＣＰＵ４０３に送られる。
【００３３】
このように、ＲＦＩＤ情報読取手段としての非接触情報読取部（本体側非接触通信回路４００およびＣＰＵ４０３）１０１と、情報を保持しているＲＦＩＤとがフルカラーデジタル複写機４１０内に配置された例を、図３に基づいて説明する。図３に示すフルカラーデジタル複写機４１０内部の部品例としては、ここではトナーボトル４１１を示している。第１ＲＦＩＤ２００ｂは、このトナーボトル４１１に関する情報を記憶する不揮発性メモリを具備している。そして、この第１ＲＦＩＤ２００ｂの近傍には、不図示のアンテナが設けられ、このアンテナ（第１のアンテナ）と非接触情報読取部１０１とが接続されている。第１ＲＦＩＤ２００ｂからの情報取得は、第１のアンテナを介して非接触情報読取部１０１により行われ、定期的あるいは必要に応じていつでも行うことができる。取得する情報としては、ここではトナーボトル４１１内のトナー残量を示すデータであって、不図示のトナー残量検出センサから常に最新のトナー残量データが第１ＲＦＩＤ２００ｂの不揮発性メモリに上書きされている。
【００３４】
なお、上記した装置内部の部品例としてトナーボトル４１１をあげたが、これに限定されず、感光体ドラムのように一定時間使用することで寿命となる寿命部品が搭載されたプロセスカートリッジなども部品情報の取得対象とすることができる。この場合、部品の寿命が到来したか否かの判断は、種々の方法を用いて行うことができるが、例えば用紙カウンタの枚数をカウントし、一定枚数に達することにより、感光体ドラムの交換時期と判断することができる。感光体ドラムが交換されると用紙カウンタはリセットされ、新たな感光体ドラムの寿命がカウントされる。
【００３５】
また、図３のフルカラーデジタル複写機４１０で使用される用品例としては、ここでは用紙４２０を示しているが、これに限定されず、情報処理装置一般で用いられる用品例として用紙の他、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体などがあり、この記録媒体の特性情報（媒体品番、製造年月日、媒体種類、記録容量、対応するリーダ／ライタ、書き換え回数、保存期間、残容量、データ内容等）をＲＦＩＤの不揮発性メモリに記憶させることができる。第２ＲＦＩＤ２００ｂの場合は、この用紙４２０の特性に関する情報を記憶する不揮発性メモリを具備していて、用紙４２０を包装するパッケージ４２１に添付されている。この第２ＲＦＩＤ２００ｂには、用紙設定を自動的に行う制御に必要な情報などが記憶されている。例えば、用紙品番、製造年月日、用紙種類、用紙厚さ、用紙色情報、枚数、第２ＲＦＩＤ２００ｂのリサイクル回数、リサイクル回数の上限、保存期間、第２ＲＦＩＤ２００ｂへのアクセス回数等の情報を記憶させることができる。また、本体側のメモリに用紙品番に対応させて各種用紙の情報が登録されている場合は、用紙品番情報のみを取得するだけで用紙の特性情報を取得することができる。
【００３６】
一方、用紙４２０をセットする給紙トレイ４１２ａ，４１２ｂには、第２ＲＦＩＤ２００ｂとの間で非接触にて通信を行うアンテナ４１３ａ，４１３ｂ（第２のアンテナ）がそれぞれ配置され、上記非接触情報読取部１０１に接続されることで非接触にて情報を取得することが可能である。また、非接触情報読取部１０１による第２ＲＦＩＤ２００ｂからの情報取得は、用紙４２０を給紙トレイ４１２ａまたは４１２ｂへのセット時にのみに限定すれば、複数のアンテナ４１３ａ，４１３ｂを一つにまとめることもできる。なお、パッケージ４２１上の第２ＲＦＩＤ２００ｂから用紙特性に関する情報を読み取った後の第２ＲＦＩＤ２００ｂは、これを再利用するため、用紙セット後にパッケージ４２１から取り外してストックしておく廃棄スペース（不図示）を給紙トレイ４１２ａ，４１２ｂに設けてもよい。
【００３７】
さらに、本実施の形態にかかるフルカラーデジタル複写機４１０において、用紙（転写紙）４２０のパッケージ４２１に用紙の特性に関する情報が二次元コード（例えば、バーコード）２００ｄで書かれている場合は、フルカラーデジタル複写機４１０のスキャナ５５０のＣＣＤ５５１を使ってバーコード情報を読み取ることもできる。この二次元コード読取手段としてのスキャナ５５０は、バーコード２００ｄ部分をスキャンして読み取ったデータを解析することにより、セットする用紙の特性情報を取得することができる。このように、用紙４２０の特性情報は、第２ＲＦＩＤ２００ｂあるいは二次元コード（バーコード）２００ｄの何れからも取得することができる。用紙特性に関する情報が取得されると、これに基づいて用紙特性が設定されるが、一度設定された用紙特性に関する情報は、次に新たな情報が取得されない限り、直前まで設定されている用紙特性に基づいて処理を行うようにする。これは、同じ用紙を繰り返し使用する場合、用紙特性が変わらないため用紙特性情報の読み込み動作を省略することが可能となり、ユーザの手間を省くことができる。
【００３８】
次に、図４を用いて本実施の形態にかかるフルカラーデジタル複写機の構成を詳細に説明する。図４に示すフルカラーデジタル複写機は、装置全体を制御するシステムコントローラボード５００、操作パネルを制御する操作部制御ボード５１０、各種プログラムデータや画像データなどを記憶する大容量記憶部のＨＨＤ５２０、原稿画像の読み取りを行うスキャナ５５０、画像データを用紙に印字出力するプリンタ５９０などの各ユニットで構成されている。
【００３９】
システムコントローラボード５００には、スキャナ５５０とプリンタ５９０と操作部制御ボード５１０とが接続されると共に、ＰＣ（パーソナルコンピュータ）などが接続された社内ＬＡＮ（Local Area Network）とＬＡＮインターフェースボード５３０を介して接続されている。さらに、システムコントローラボード５００には、ＰＣＩバスを介してプリンタ５９０に接続されると共に、電話回線（ファクシミリ通信回線）に接続されたＦＣＵ（ファクシミリコントロールユニット）５４０がＰＣＩバスを介して接続されている。
【００４０】
プリンタ５９０は、エンジン制御ボード５６０と、画像データが表わす画像光を感光体ドラム上に投射して光書込みを行うＬＤＢ（レーザダイオードボード）５７０などで構成されている。また、ＰＳＵ（電源装置）５８０は、フルカラーデジタル複写機を制御する電源を供給するユニットであり、メインＳＷ５８２がオン（閉）されると、商用電源が供給され、その商用電源からＡＣ制御回路５８１に商用ＡＣが供給される。
【００４１】
システムコントローラボード５００は、ＣＰＵ５０１、ＣＰＵ５０１が使用する作業用メモリであるＳＲＡＭ５０３、リチウム電池などを内蔵し、ＳＲＡＭ５０３のバックアップと時計を内蔵したＮＶ−ＲＡＭ５０２、システムコントローラボード５００の制御を行うプログラムが格納されたＲＯＭ５０４、システムコントローラボード５００のシステムバス制御、フレームメモリ制御、ＦＩＦＯ等のＣＰＵ周辺を制御するＡＳＩＣ５０５、ワークメモリ５０６、およびフレームメモリ５０７などで構成されている。
【００４２】
このシステムコントローラボード５００は、スキャナアプリケーション、ファクシミリアプリケーション、プリンタアプリケーション、およびコピーアプリケーション等の複数アプリケーション機能を有しており、システム全体の制御を行う。さらに、このシステムコントローラボード５００は、操作部制御ボード５１０からの入力を解読して、本システムの設定とその状態内容を操作部制御ボード５１０の表示部に表示する。
【００４３】
操作部制御ボード５１０には、ＬＣＤおよびキー入力を制御するＡＳＩＣ（ＬＣＤＣ）５１１、操作部制御ボード５１０を制御するＣＰＵ５１２、ＣＰＵ５１２で使用する作業用メモリとしてのＲＡＭ５１３、および操作部制御ボード５１０の入力読込み、および表示出力を制御する操作部制御ボード５１０の制御プログラムが書き込まれたＲＯＭ５１４などが搭載されている。この操作部制御ボード５１０には、図示していないが、システムコントローラボード５００との通信によりパネルを操作して使用者がシステム設定の入力を行う入力部と、使用者にシステムの設定内容および状態を表示する表示部とを備え、入力の制御などを行っている。
【００４４】
ＨＤＤ５２０は、システムのアプリケーションプログラム、並びにプリンタや作像プロセス機器の機器付勢情報を格納するアプリケーションデータベース、あるいは、読取り画像や書込み画像のイメージデータとしての画像データ、並びにドキュメントデータを蓄える画像データベースとして用いられる。物理インターフェース、電気的インターフェースと共に、ＡＴＡ／ＡＴＡＰＩ−４に準拠したインターフェースによりシステムコントローラボード５００に接続されている。
【００４５】
スキャナ５５０は、カラーＣＣＤ５５１とＳＢＵ（Sensor Board Unit）５５２で構成されている。カラーＣＣＤ５５１は、３ラインカラーＣＣＤであり、ＥＶＥＮｃｈ（偶数画素チャンネル）／ＯＤＤｃｈ（奇数画素チャンネル）のＲ、Ｇ、Ｂ画像信号を生成し、ＳＢＵ５５２のアナログＡＳＩＣ(Application Specific IC)５５３〜５５５に入力される。ＳＢＵ４０１は、アナログＡＳＩＣ５５３〜５５５、アナログＡＳＩＣの駆動タイミングを発生するタイミング発生回路／制御回路５５６、および出力Ｉ／Ｆ５５７を備えている。カラーＣＣＤ５５１の出力は、アナログＡＳＩＣ５５３〜５５５内部のサンプルホールド回路によりサンプルホールドされ、Ａ／Ｄ変換されてＲ、Ｇ、Ｂの画像データに変換されると共に、シェーディング補正され、出力Ｉ／Ｆ（インターフェース）５５７から画像データバスを介して、後述するエンジン制御ボード５６０の画像データ処理器（ＩＰＰ：Image Processing Processor；以下では単にＩＰＰと記述）５６１へ送出される。
【００４６】
エンジン制御ボード５６０は、画像形成の作像制御を主として行い、ＣＰＵ４０３、画像処理を行うＩＰＰ５６１、ＮＶ−ＲＡＭ５６２、複写およびプリントアウトを制御するため必要なプログラムを内蔵したＲＯＭ５６６、その制御に必要なＳＲＡＭ５６３、Ｉ／Ｏ ＡＳＩＣ５６４，５６５およびインターフェース回路５６７を備えている。
【００４７】
そして、ＮＶ−ＲＡＭ５６２には、ＳＲＡＭと、電源ＯＦＦを検知してＳＲＡＭの内容をＥＥＰＲＯＭにストアするメモリが搭載されている。また、他の制御を行うＣＰＵ４０３との間で信号を送受信するシリアルインターフェースを備えたＩ／ＯＡＳＩＣ５６４，５６５は、エンジン制御ボード５６０が実装された近くのＩ／Ｏ（ソレノイド、クラッチ、モータ等）を制御するＡＳＩＣである。
【００４８】
ＩＰＰ５６１は、画像処理をおこなうプログラマブルな演算処理手段であり、階調処理等を行う。ＳＢＵ５５２からＩＰＰ５６１に転送された画像データは、ＩＰＰ５６１にて光学系およびデジタル信号への量子化に伴う信号劣化（スキャナ系の信号劣化）が補正されて、フレームメモリ５０７に書き込まれる。
【００４９】
インターフェース回路５６７は、プロセスカートリッジ、トナーボトル、あるいは給紙トレイなどに搭載された非接触式のＲＦＩＤに対してアクセスを行う場合のインターフェース回路である。また、接触式のメモリタグを使用する場合は、このインターフェース回路５６７を介してプロセスカートリッジなどのメモリタグに対してアクセスが行われる。
【００５０】
本体側非接触通信回路４００は、非接触式のＲＦＩＤを使用する場合のインターフェースである。図３に示すように、フルカラーデジタル複写機４１０内の所定位置にそれぞれ送受信用アンテナが設置され（トナーボトル近辺のアンテナは不図示、用紙などの用品関係は給紙トレイ４１２ａ，４１２ｂに設けられたアンテナ４１３ａ，４１３ｂ）、それらのアンテナが操作パネル１００の非接触情報読取部１０１に接続されている。本体側制御部のＣＰＵ４０３と本体側非接触通信回路４００との間の通信は非同期のシリアルインターフェースで行われ、ＣＰＵ４０３と本体側非接触通信回路４００とにより、ＲＦＩＤ情報読取手段としての非接触情報読取部１０１が構成されている。
【００５１】
これを図４で見ると、本体側非接触通信回路４００には、複数の送受信用アンテナ（不図示）が接続され、フルカラーデジタル複写機内の部品に関する情報を記憶する第１ＲＦＩＤ２００ａの近傍、あるいは、フルカラーデジタル複写機が使用する用紙の特性に関する情報を記憶する第２ＲＦＩＤ２００ｂの近傍にそれぞれアンテナが配置されている。
【００５２】
そして、本実施の形態にかかるフルカラーデジタル複写機は、本体側非接触通信回路４００を用いてユーザ識別用ＲＦＩＤからユーザ識別情報を読み取りユーザ認証を行うユーザ認証モードと、本体側非接触通信回路４００に接続された第１のアンテナを介して第１ＲＦＩＤ２００ｂから部品に関する情報を読み取る部品情報読取モードと、本体側非接触通信回路４００に接続された第２のアンテナを介して第２ＲＦＩＤ２００ｂから用紙の特性に関する情報を読み取る用品特性情報読取モードと、スキャナ５５０により用紙（転写紙）パッケージに添付された二次元コード（バーコード）２００ｄから用紙の特性に関する情報を読み取る二次元コード読取モードを有し、これらのモードを切り替えるモード切替手段を備えている。
【００５３】
このモード切替手段は、ユーザが操作パネル１００を使って、非接触情報読取部１０１によりユーザ認証を行ったり（ユーザ認証モード）、本体側非接触通信回路４００に接続された送受信用アンテナを切り替えて部品情報や用紙情報を取得したり（部品情報読取モード、用品特性情報読取モード）、スキャナ５５０に切り替えてバーコード情報を取得したり（二次元コード読取モード）する処理動作を選択することにより、モード切り替えを行うことができる。なお、上記部品情報読取モードおよび用品特性情報読取モードにおいて、ユーザ操作パネルを使ってアンテナを直接指定する他、ユーザがフルカラーデジタル複写機の使用位置を指定するだけでその指定位置に最も近いアンテナへ切り替わるように制御することも可能である。例えば、フルカラーデジタル複写機の給紙トレイに新しい用紙をセットしたい場合は、ユーザが給紙トレイ位置を操作パネル上で選択することにより、その給紙トレイの近傍に設置されたアンテナへ切り替えることができる。特に、二次元コード読取モードの場合は、スキャナ５５０を使ってバーコード情報を読み取っただけでは、どの給紙トレイにセットする用紙か不明なため、操作パネル１００等を使ってユーザが使用する給紙トレイ位置を必ず指定する必要がある。
【００５４】
また、用品の品番毎の特性に関する情報を記憶する特性情報記憶手段としては、図４に示すＨＤＤ５２０などを用いて予め用紙の品番毎の特性に関する情報を記憶させておくことで、用紙４２０のパッケージ４２１に添付された第２ＲＦＩＤ２００ｂから読み取る情報を用紙の品番や型番情報のみとし、用紙の特性値は装置内のＨＤＤ５２０を使用することにより、用紙の適合性の判断や用紙設定の自動変更等を実施することができる。このことにより、ＲＦＩＤから読み取る情報量が少ないため、内蔵される不揮発性メモリの容量が小さくできるという利点がある。
【００５５】
さらに、第２ＲＦＩＤ２００ｂから読み取った用紙の品番や型番情報がＨＤＤ５２０内の特性情報記憶手段の情報と一致しない場合は、未だ登録されていない新しい品番や型番情報の可能性がある。このため、第２ＲＦＩＤ２００ｂから読み取った用紙の品番や型番情報と用紙特性に関する情報とを対応付けて、特性情報記憶手段に新規追加することにより、新規用紙にも対応が可能となる。
【００５６】
また、第２ＲＦＩＤ２００ｂから読み取った情報が用紙の種類に関する情報の場合は、この用紙の種類情報に基づいて用紙の設定を自動的に変更することができる。さらに、第２ＲＦＩＤ２００ｂから読み取った情報が用紙の厚さやサイズに関する寸法情報の場合は、この用紙の寸法情報に基づいて用紙の設定を自動的に変更することができる。
【００５７】
このように、第２ＲＦＩＤ２００ｂから読み取った情報に基づいて用紙の設定を自動的に変更する際に、当該フルカラーデジタル複写機で設定可能な用紙の種類や用紙の寸法に限りがあるため、用紙の種類や寸法が対応していない場合は、操作パネルの操作表示部などを使って用紙の規格が対応していないことを示すエラー表示やガイダンス表示を行うようにする必要がある。また、設定可能な用紙の種類や用紙の寸法が給紙トレイによって異なることがあるため、指定された給紙トレイでは規格外であっても、他の給紙トレイを使えば用紙の設定が可能な場合は、操作パネルの表示部などを使って設定可能な給紙トレイの位置情報等を表示する。
【００５８】
なお、この実施の形態にかかる第２ＦＲＩＤ２００ｂは、用紙設定を行うための専用のタグとして用紙４２０のパッケージ４２１に添付したものを用いている。しかし、用紙の特性に関する情報が記憶されたＲＦＩＤ例としては、流通や在庫管理用のＩＤタグがパッケージに添付されていることがある。そこで、新たな第２ＦＲＩＤ２００ｂを添付することなく、既存の流通・在庫管理用のＩＤタグを共用することで、第２ＦＲＩＤ２００ｂを用いた時と同様に用紙の特性に関する情報を取得し、用紙設定を行うことも可能である。こにより、ＦＲＩＤにかかるコストを低減することができる。
【００５９】
また、本実施の形態にかかるフルカラーデジタル複写機は、ユーザ認証機能を備えているため、ユーザ認証が成功した場合のみ、第２ＲＦＩＤ２００ｂあるいは二次元コード（バーコード）２００ｄから用紙特性に関する情報を読み取ることができるようにしても良い。これは、予め用紙が決められているような場合に（例えば、プリンタ出力にてフォーマットが決まっている用紙など）、用紙設定を容易に変更できないようにする必要があり、ユーザ認証が成功した特定の権限を持った人にだけ設定変更ができるようにするものである。
【００６０】
本実施の形態のかかるフルカラーデジタル複写機は、以上のように構成されており、以下その動作について説明する。図５は、本実施の形態にかかるフルカラーデジタル複写機におけるＲＦＩＤあるいは二次元コードからの読み取り情報に基づいて自動設定を行う動作を説明するフローチャートである。
【００６１】
まず、ユーザは、フルカラーデジタル複写機４１０の操作部パネル１００を操作して、ユーザ識別時のユーザ認証モードを選択した場合は、ステップＳ１００からステップＳ１０１に移行して、ユーザ認証動作が行われる。
【００６２】
ステップＳ１００において、ユーザがユーザ認証モードを選択しなかった場合は、ステップＳ１０２に移行し、用紙特性の設定変更を行うか否かが判断される。ここで、装置内の部品情報を取得する部品情報読取モードが選択された場合は、ステップＳ１０３に移行して、非接触情報読取部１０１に接続されている第１のアンテナに切り替え、プロセスカートリッジやトナーボトルなどに設置された第１ＲＦＩＤ２００ａの不揮発性メモリに記憶された装置内の部品情報を読み取る。
【００６３】
また、ステップＳ１０２において、用紙特性の設定変更を行う場合は、用品特性情報読取モードを選択してステップＳ１０４に移行し、設定変更にあたってユーザが限定されているか否かを判断する。ここで、特定のユーザしか設定変更できない場合（ユーザ限定あり）は、ステップＳ１０５で本体側非接触通信回路４００を使ってユーザ識別用ＲＦＩＤ２００ｃからユーザ識別情報が取得され、これを認証情報と照合して、ユーザ認証が成功したか否かを判断する。ユーザ認証が成功しなかった場合は、ステップＳ１０６に移行して用紙特性の設定変更は禁止される。操作パネル１００の操作表示部１０２にその旨の表示が行われる。なお、上記ステップＳ１０４におけるユーザ識別機能は、予めＯＦＦに設定しておくことも可能である。
【００６４】
また、ステップＳ１０４において、ユーザ限定が無い場合は、ステップＳ１０７に移行して用紙をセットする用紙トレイを選択させる。本体側非接触通信回路４００に接続するアンテナを選択された用紙トレイに設置されたアンテナに切り替えて、用紙４２０のパッケージ４２１に添付された第２ＲＦＩＤ２００ｂから用紙特性に関する情報を読み取る（ステップＳ１０８）。ここで、第２ＲＦＩＤ２００ｂから情報が読み取れる場合は、ステップＳ１０９に移行し、不揮発性メモリに記憶されている用紙特性に関する情報を取得する。ステップＳ１０８において、第２ＲＦＩＤ２００ｂから情報が読み取れなかった場合は、二次元コード読取モードを選択してステップＳ１１０に移行し、スキャナ５５０を使って転写紙パッケージのバーコード２００ｄから用紙特性に関する情報を読み取る。また、本体側に用紙特性の品番や型番に対応した特性に関する情報を記憶した特性情報記憶手段を備えている場合は、取得する用紙特性に関する情報として、品番や型番のみを取得するだけで良く、用紙の特性値は特性情報記憶手段から取得するようにする。その際、品番や型番が特性情報記憶手段に無い場合は、取得した品番や型番と特性情報とを特性情報記憶手段に新規に追加する。
【００６５】
ステップＳ１１１では、上記第２ＲＦＩＤ２００ｂあるいは、バーコード２００ｄから読み取った用紙特性に関する情報に基づいて、本実施の形態にかかるフルカラーデジタル複写機４１０で使用可能な用紙か否かを判断し、適合しない用紙の場合は、操作パネル１００の操作表示部１０２に不適合である旨を表示する（ステップＳ１１２）。全給紙部で不適合の場合は、操作パネル１００の操作表示部１０２等にエラー表示やガイダンス表示を行って使用禁止にする。
【００６６】
ステップＳ１１１において、セットする用紙の用紙特性がフルカラーデジタル複写機４１０で使用可能な用紙である場合は、用紙設定の変更処理が行われる。なお、用紙特性がフルカラーデジタル複写機４１０で使用可能であっても、セットする給紙トレイに適合しない場合（インクジェット紙等の特殊紙や適応外の厚さの紙等）は、ステップＳ１１２に移行して、不適合表示を行う。しかし、その場合の表示は、セット可能な他の給紙トレイを案内するガイダンス表示を行うようにする（例えば、「この給紙トレイでは本用紙は使用できません。手差し部で使用して下さい」など）。これにより、ユーザの作業性を向上させるとともに、紙詰まりや装置の破損を防止することができる。
【００６７】
なお、図５において、用紙をセットする度に用紙特性に関する情報を読み出すのは、ユーザにとって作業負担が大きい。このため、一度設定された用紙設定は、次に新たな用紙特性情報が取得されない限り、直前の設定データを使って用紙の出力処理などを行うようにしても良い。
【００６８】
このように、本実施の形態によれば、画像形成装置内部の部品に関する情報を記憶する第ＲＦＩＤ２００ａと、使用する用紙の特性に関する情報を記憶する第２ＲＦＩＤ２００ｂの近傍のアンテナを切り替えるモード、あるいは、バーコードをスキャナで読み取るモードとを選択し、ユーザ識別用の本体側非接触通信回路４００を共用して情報を取得することにより、情報読取手段を追加する必要がなく、装置コストを低減することができる。また、このモード切替手段により本体側非接触通信回路４００が取得する情報を容易に切り替えることができる。
【００６９】
また、本実施の形態によれば、取得した情報に基づいて、用紙あるいは部品に関する設定を自動的に行うことができる。例えば、用紙の種類情報や厚さ情報などから用紙設定や印刷条件を変更することで、用紙の搬送速度や定着部の温度あるいは高圧電源の出力値等を最適値に自動設定することができ、ユーザの作業を大幅に低減することが可能となる。
【産業上の利用可能性】
【００７０】
以上のように、本発明にかかる情報処理装置および画像形成装置は、部品や用紙あるいは記録媒体等の用品に関する情報に基づいてリアルタイムに設定を行う必要のある装置に有効であり、特に、複写機、ファクシミリ、プリンタ、およびそれらの機能を併せ持つ複合機などの部品や用紙特性に関する情報を取得し、これらの情報に基づいて設定を自動的に行うことのできる装置に適している。
【図面の簡単な説明】
【００７１】
【図１】本発明の実施の形態にかかる画像形成装置の操作パネル例を示す図である。
【図２】ＲＦＩＤとＲＦＩＤの不揮発性メモリに記憶された情報を読み取るＲＦＩＤ情報読取部の構成図である。
【図３】本実施の形態にかかる画像形成装置の概略構成図である。
【図４】フルカラーデジタル複写機の主要部の構成を説明するブロック図である。
【図５】本実施の形態にかかるフルカラーデジタル複写機におけるＲＦＩＤあるいは二次元コードからの読み取り情報に基づいて自動設定を行う動作を説明するフローチャートである。
【符号の説明】
【００７２】
１００  操作パネル
１０１  非接触情報読取部
１０２  操作表示部
１０３  テンキー
１０４  スタートキー
１０５  クリア／ストップキー
２００  ＲＦＩＤ
２００ａ  第１ＲＦＩＤ
２００ｂ  第２ＲＦＩＤ
２００ｃ  ユーザ識別用ＲＦＩＤ
２００ｄ  バーコード
２０１  不揮発性メモリ
２０２  ＲＦＩＤ側非接触通信回路
２０３  送信用アンテナ
２０４  受信用アンテナ
３００  受信回路
３０１  復調回路
３０２  制御回路
３０３  変調回路
３０４  送信ドライバ
３０５  電源回路
４００  本体側非接触通信回路
４０１  送信用アンテナ
４０２  受信用アンテナ
４０３  ＣＰＵ
４１０  フルカラーデジタル複写機
４１１  トナーボトル
４１２ａ，４１２ｂ  給紙トレイ
４１３ａ，４１３ｂ  アンテナ
４２０  用紙
４２１  パッケージ
５００  システムコントローラボード
５１０  操作部制御ボード
５２０  ＨＤＤ
５５０  スキャナ
５６０  エンジン制御ボード
５９０  プリンタ
【図１】
2009066951.tif 000003
【図２】
2009066951.tif 000004
【図３】
2009066951.tif 000005
【図４】
2009066951.tif 000006
【図５】
2009066951.tif 000007